(57)【要約】  【課題】  、医療用ワゴンの天板上以外の適所に、多目的に利用可能な容器を着脱容易且つ安定的に装着可能であって、しかも安全で経済的に利用可能なものとした新たな医療用ワゴン技術を提供する。  【解決手段】  天板５０の僅かに下方位で、同天板５０外周よりも外方に横設状配置とした手押し用ハンドル５２を有するワゴン５の、当該天板５０下面５１と手押し用ハンドル５２との上下間に差し込み可能な所定長金属棒１０の中間部分１１を多目的容器６抱持用のホルダー枠部２に形成し、該ホルダー枠部２の各自由端がわ１２，１２を、左右一対の装着用アーム部３，３にした上、それら装着用アーム部３，３の先端がわ部分３０，３０、および各々先端がわ部分３０，３０と当該ホルダー枠部２との間であって手押し用ハンドル５２に載置状とする部分３１，３１を、夫々装着安定構造４，４，……に形成してなる医療ワゴン用の多目的容器装着具１である。【選択図】    図５
2010246780.tif 000002
【特許請求の範囲】
【請求項１】
天板の僅かに下方位で、同天板外周よりも外方となる所定位置に横設状配置とした手押し用ハンドルを有するワゴンの、当該天板下面と手押し用ハンドルとの上下間に差し込み可能で所定強度を有する所定長金属棒の中間部分を、医療用多目的容器の抱持可能となる箇所における外周壁に沿うよう屈曲形成してホルダー枠部に形成すると共に、該ホルダー枠部の両がわに延びる各自由端がわを、当該ワゴン天板の幅寸法内に収まる相互間隔で、且つ同一平面内に収まるよう規制した配置としてなる左右一対の装着用アーム部にした上、それら装着用アーム部の先端がわ部分、および各々先端がわ部分と当該ホルダー枠部との間であって手押し用ハンドルに載置状とする部分を、夫々装着安定構造に形成してなるものとしたことを特徴とする医療ワゴン用の多目的容器装着具。
【請求項２】
天板の僅かに下方位で、同天板外周よりも外方となる所定位置に横設状配置とした手押し用ハンドルを有するワゴンの、当該天板下面と手押し用ハンドルとの上下間に差し込み可能で所定強度を有する所定長金属棒の中間部分を、医療用多目的容器の抱持可能となる箇所における平断面外周壁に沿うよう屈曲形成して、上下方向に開口したホルダー枠部に形成すると共に、該ホルダー枠部の両がわに延びる各自由端がわを、当該ワゴン天板の幅寸法内に収まる相互間隔で、且つ同一平面内に収まるよう規制した配置としてなる左右一対の装着用アーム部にした上、それら装着用アーム部の先端がわ部分、および各々先端がわ部分と当該ホルダー枠部との間であって手押し用ハンドルに載置状とする部分を、夫々装着安定構造に形成し、当該天板外方の手押し用ハンドル近傍に、上蓋開閉型であって上部開口から底部に向けて縮小する勾配の外周壁に形成された多目的容器を着脱自在に落とし込み状装着可能としてなるものとしたことを特徴とする医療ワゴン用の多目的容器装着具。
【請求項３】
天板の僅かに下方位で、同天板外周よりも外方となる所定位置に横設状配置とした手押し用ハンドルを有するワゴンの、当該天板下面と手押し用ハンドルとの上下間に差し込み可能で所定強度を有する所定長金属棒の中間部分を、医療用多目的容器の抱持可能となる箇所における外周壁に沿うよう屈曲形成して、水平方向に開口したホルダー枠部に形成すると共に、該ホルダー枠部の両がわに延びる各自由端がわを、当該ワゴン天板の幅寸法内に収まる相互間隔で、且つ同一平面内に収まるよう規制した配置としてなる左右一対の装着用アーム部にした上、それら装着用アーム部の先端がわ部分、および各々先端がわ部分と当該ホルダー枠部との間であって手押し用ハンドルに載置状とする部分を、夫々装着安定構造に形成し、当該天板外方の手押し用ハンドル近傍に、抽斗開閉型の多目的容器を着脱自在に装着可能としてなるものとしたことを特徴とする医療ワゴン用の多目的容器装着具。
【請求項４】
各装着安定構造が、夫々当該所定長金属棒外周壁に被着された弾性摩擦皮膜からなるものとした、請求項１ないし３何れか一項記載の医療ワゴン用の多目的容器装着具。）
【請求項５】
各装着用アーム部の先端がわ部分に形成した装着安定構造が、当該所定長金属棒外周壁に被着された弾性摩擦皮膜からなるものとし、また、各々先端がわ部分と当該ホルダー枠部との間であって手押し用ハンドルに載置状とする部分に形成した装着安定構造が、当該所定長金属棒の該当箇所を手押し用ハンドル上方外周壁に沿って折曲形成された嵌着構造からなるものとした、請求項１ないし３何れか一項記載の医療ワゴン用の多目的容器装着具。
【請求項６】
ホルダー枠部が、その適所に多目的容器の適所を保持可能なサポート枠部を一体化、形成されてなるものとした、請求項１ないし５何れか一項記載の医療ワゴン用の多目的容器装着具。
【請求項７】
各装着用アーム部が、それら全外周壁か、または、それら外周壁の一部かの何れか一方に弾性皮膜を形成されてなるものとした、請求項１ないし６何れか一項記載の医療ワゴン用の多目的容器装着具。                                                                                              
【発明の詳細な説明】
【技術分野】
【０００１】
この発明は、医療用ワゴンに関連するものであり、特に医療ワゴンの適所に装着して多目的に利用可能とした容器装着具を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                  
【背景技術】
【０００２】
（着目点）
医療現場では、様々な医療処置に速やかに対応できるよう、底部にキャスターを設けて容易に移動可能とした医療用ワゴンに、各種医療器具類や薬品類などをまとめて搭載しておき、診察室内や入院病棟内などを移動しながら利用できるようにしており、入院病棟内を移動しながら複数の患者を治療する場合などには、特に院内感染予防のため、治療に使用した脱脂綿やガーゼ、包帯などの外、注射や点滴に利用した注射針や注射器、チューブ類なども、この医療用ワゴンに回収しながら移動し、その後は、感染性医療廃棄物として適正に廃棄処理しなければならず、こうした医療廃棄物を安全に回収するためのダストボックスも、当該医療用ワゴンの容易に投入可能な適所に装備するのが望ましいが、医療用ワゴン専用に準備されたダストボックスや吊りポケットなどのアクセサリー類は、一般的に高価で経済的負担の大きなものとなっている上、医療用ワゴンへの取付け用となる締付ネジやクランプ機構などを有していて、例えば、医療廃棄物回収用のゴミ箱を設置した診察室内と、医療廃棄物のゴミ箱が無い病棟内の各部屋との間を移動する場合など、該医療用ワゴンにダストボックスなどの容器類を簡単、迅速に着脱することができないという欠点があり、実際には効率的に使うことができなかった。
【０００３】
（従来の技術）
こうした状況を憂慮し、例えば、下記の特許文献１（１）に提案されているものに代表されるように、容器本体と、容器本体上部に被着する蓋本体と、容器本体を板面に粘着可能に固定するシート材とからなり、蓋本体上面に注射器の針装着部から使用済み注射針を取り外すための開口部を設け、注射器から注射針を人体に触れることなく外して容器本体に収納するようにしたものや、同特許文献１（２）に見られるような、ワゴン本体は底部にキャスターを有し、このワゴン本体の上部に、針収納用箱体と注射器本体収納用箱体を着脱自在に挿入できる挿入口を設け、上記針収納用箱体の上面には、使用済の注射針を入れるための投入口があり、また注射器本体収納用箱体の上面には、使用済の注射器本体を入れるための投入口があって、上記各収納用箱体は、各挿入口に挿入した際、各投入口がそれぞれワゴン本体の上面に開口し、使用済の注射針および注射器本体は、ワゴン本体の上面から各収納用箱体内に投入、収納して運搬、廃棄処分できるようにしたものなどが散見される。                                                                                                          
【特許文献１】（１）特開２００６−２４７０９１号公報    （２）特開平５−１４６４７４号公報
【発明の開示】
【発明が解決しようとする課題】
【０００４】
（問題意識）
上述したとおり、従前までに提案のある医療用の各種ダストボックス類は、何れも使用済み注射針などを安全且つ容易に収容して運搬、廃棄できるようになっているものの、その殆どのものが医療用ワゴンの天板上に搭載したものや、天板に専用の装着部を設けて着脱自在に組み込まれたものなどであり、医療用ワゴンの天板上の有効スペースを狭めてしまう上、院内感染予防の観点からも、天板上に置かれた未使用の医療器具類や薬品類を衛生的に保つことが難しくなってしまうという致命的な欠点を有していて、しかも着脱困難または着脱不能で医療用ワゴンの汎用性を損ねてしまうという難点があるにも拘らず、こうした課題を効果的且つ経済的に解決できる技術については、未だ存在していないという状況にある。
【０００５】
（発明の目的）
そこで、この発明は、医療用ワゴンの天板上以外の適所に、多目的に利用可能な容器を着脱容易且つ安定的に装着可能であって、しかも安全で経済的に利用可能なものとした新たな医療用ワゴン技術の開発はできないものかとの判断から、逸速くその開発、研究に着手し、長期に渡る試行錯誤と幾多の試作、実験とを繰り返してきた結果、今回、遂に新規な構造の医療ワゴン用の多目的容器装着具を実現化することに成功したものであり、以下では、図面に示すこの発明を代表する実施例と共に、その構成を詳述することとする。                                        
【課題を解決するための手段】
【０００６】
（発明の構成）
図面に示すこの発明を代表する実施例からも明確に理解されるように、この発明の医療ワゴン用の多目的容器装着具は、基本的に次のような構成から成り立っている。
即ち、天板の僅かに下方位で、同天板外周よりも外方となる所定位置に横設状配置とした手押し用ハンドルを有するワゴンの、当該天板下面と手押し用ハンドルとの上下間に差し込み可能で所定強度を有する所定長金属棒の中間部分を、医療用多目的容器の抱持可能となる箇所における外周壁に沿うよう屈曲形成してホルダー枠部に形成すると共に、該ホルダー枠部の両がわに延びる各自由端がわを、当該ワゴン天板の幅寸法内に収まる相互間隔で、且つ同一平面内に収まるよう規制した配置としてなる左右一対の装着用アーム部にした上、それら装着用アーム部の先端がわ部分、および各々先端がわ部分と当該ホルダー枠部との間であって手押し用ハンドルに載置状とする部分を、夫々装着安定構造に形成してなるものとした構成を要旨とする医療ワゴン用の多目的容器装着具である。
【０００７】
より具体的に示すと、天板の僅かに下方位で、同天板外周よりも外方となる所定位置に横設状配置とした手押し用ハンドルを有するワゴンの、当該天板下面と手押し用ハンドルとの上下間に差し込み可能で所定強度を有する所定長金属棒の中間部分を、医療用多目的容器の抱持可能となる箇所における平断面外周壁に沿うよう屈曲形成して、上下方向に開口したホルダー枠部に形成すると共に、該ホルダー枠部の両がわに延びる各自由端がわを、当該ワゴン天板の幅寸法内に収まる相互間隔で、且つ同一平面内に収まるよう規制した配置としてなる左右一対の装着用アーム部にした上、それら装着用アーム部の先端がわ部分、および各々先端がわ部分と当該ホルダー枠部との間であって手押し用ハンドルに載置状とする部分を、夫々装着安定構造に形成し、当該天板外方の手押し用ハンドル近傍に、上蓋開閉型であって上部開口から底部に向けて縮小する勾配の外周壁に形成された多目的容器を着脱自在に落とし込み状装着可能としてなるものとした構成からなる医療ワゴン用の多目的容器装着具となる。
【０００８】
表現を変えて示すと、天板の僅かに下方位で、同天板外周よりも外方となる所定位置に横設状配置とした手押し用ハンドルを有するワゴンの、当該天板下面と手押し用ハンドルとの上下間に差し込み可能で所定強度を有する所定長金属棒の中間部分を、医療用多目的容器の抱持可能となる箇所における外周壁に沿うよう屈曲形成して、水平方向に開口したホルダー枠部に形成すると共に、該ホルダー枠部の両がわに延びる各自由端がわを、当該ワゴン天板の幅寸法内に収まる相互間隔で、且つ同一平面内に収まるよう規制した配置としてなる左右一対の装着用アーム部にした上、それら装着用アーム部の先端がわ部分、および各々先端がわ部分と当該ホルダー枠部との間であって手押し用ハンドルに載置状とする部分を、夫々装着安定構造に形成し、当該天板外方の手押し用ハンドル近傍に、抽斗開閉型の多目的容器を着脱自在に装着可能としてなるものとした構成からなる医療ワゴン用の多目的容器装着具となる。                                                                                            
【発明の効果】
【０００９】
以上のとおり、この発明の医療ワゴン用の多目的容器装着具によれば、従前までのものとは違い、上記したとおりの固有の特徴ある構成から、左右一対の装着用アーム部をそれらの先端がわからワゴンの天板下面と手押し用ハンドルとの上下間に差し込み状に装着するだけで、左右装着用アーム部先端がわ部分の各装着安定構造が当該天板下面に接合すると共に、各々先端がわ部分と当該ホルダー枠部との間の各装着安定構造が手押し用ハンドルに安定的載置状となり、当該天板外方の手押し用ハンドル近傍に支持するようにしたホルダー枠部に医療用多目的容器を脱着自在に抱持可能なものとし、当該天板上に搭載せずに手押し用ハンドル近傍の適切な位置に多目的容器を装着可能となり、簡単且つ迅速に医療ワゴンの搭載機能を各段に高めることができる上、所定長金属棒を屈曲形成した骨格は、当該多目的容器装着具の構造を簡素化して低廉に製造可能なものとなり、従前までの高価で経済的負担の大きかった医療用付属品類より、大幅に廉価なものとして製造可能なものになるという秀れた特徴が得られるものである。
【００１０】
加えて、ホルダー枠部の開口を上下方向に向けるよう屈曲してあるものは、上蓋開閉型であって上部開口から底部に向けて縮小する勾配の外周壁に形成された多目的容器を着脱自在に落とし込み状装着可能であり、廉価に大量生産された樹脂製容器などを装着するのに有効であり、一段と経済的に利用可能なものとすることができる外、ホルダー枠部の開口を水平方向に向けて屈曲してあるものは、抽斗開閉型の多目的容器を着脱自在に装着可能となり、抽斗内に複数の仕切りを設けるなどして複数種類の医療器具類や医薬品類などを収納するのに便利な収納機能を簡単に追加することができるという秀れた効果が得られる。
【００１１】
そして、各装着安定構造が、夫々当該所定長金属棒外周壁に被着された弾性摩擦皮膜からなるものは、装着用アーム部の先端がわ部分、および各々先端がわ部分と当該ホルダー枠部との間であって手押し用ハンドルに載置状とする部分が、当該ワゴンの天板下面と手押し用ハンドル上がわとに弾性的且つ高摩擦をもって接触するものとなり、ワゴンの接合箇所を保護して傷付けたりするのを防止できる上、ズレ動きや不用意な脱落を確実に阻止して安定的に装着できるものとすることができる。
【００１２】
また、各装着用アーム部の先端がわ部分に形成した装着安定構造が、弾性摩擦皮膜からなるものとし、各々先端がわ部分と当該ホルダー枠部との間であって手押し用ハンドルに載置状とする部分に形成した装着安定構造を嵌着構造としたものは、各装着用アーム部の先端がわ部分の弾性摩擦皮膜が、当該天板下面に接触して傷付けるのを防止できると共に、高摩擦を生じてズレ動きを阻止し、安定的な支持を実現化する上、各々先端がわ部分と当該ホルダー枠部との間の手押し用ハンドルに載置状とする部分の嵌着構造が、手押し用ハンドルに上方から下向きに嵌着状となって簡単で、より確実な固定、支持を実現可能とすることができるという秀れた効果を発揮する。
【００１３】
さらに、ホルダー枠部が、その適所に多目的容器の適所を保持可能なサポート枠部を一体的に形成されてなるものは、同ホルダー枠部に装着した多目的容器が不要に揺動したり、簡単に離脱、脱落したりしないよう更に一段と確実な保持を可能とするものとなり、また、各装着用アーム部が、それら全外周壁か、または、それら外周壁の一部かの何れか一方に弾性皮膜を形成されてなるものは、各装着用アーム部が当該医療ワゴンに接触した場合にも、双方の傷付きや破損などを防止して、より安全に利用できるものとすることができるという利点が得られるものとなる。                                                                                                      
【発明を実施するための最良の形態】
【００１４】
上記したとおりの構成からなるこの発明の実施に際し、その最良もしくは望ましい形態について説明を加えることにする。
所定長金属棒は、ホルダー枠部および左右一対の装着用アーム部の骨格状部分を形成可能とする機能を果たすものであって、屈曲加工を受けて塑性変形し、その形状を所定の強度をもって維持可能で、しかも耐食性に秀れた材質からなるものを選択すべきであり、例えばステンレス鋼やアルミニウム合金、チタン合金製のものなどとするのが望ましいといえるが、鍍金処理が施された鋼や真鍮製のものなどとすることが可能であり、また、ポリカーボネートやアクリル樹脂製などの合成樹脂成形品に置き換えることもできる。
【００１５】
ホルダー枠部は、装着用アーム部に一体化して、医療用多目的容器の外周壁適所を抱持可能にする機能を果たし、所定長金属棒の中間部分を、医療用多目的容器の抱持可能となる箇所における外周壁に沿うよう屈曲形成してなり、該多目的容器を着脱自在に装着可能とすると共に、該多目的容器を安定且つ安全に保持可能な強度を有するものとしなければならず、後述する実施例に示すように、必要箇所にサポート枠部が一体化、形成されてなるものとすることができる。
【００１６】
サポート枠部は、ホルダー枠部に抱持させた多目的容器の適所を保持可能とする機能を有し、多目的容器適所の外壁に沿うよう保持可能な形状としたものとするか、または、予め多目的容器適所の外壁に突設（あるいは凹設）された嵌着部分に嵌合可能な形状に設定されたものなどとすべきであり、後述する実施例に示すように、サポート枠部を形成する所定長金属棒の中間部分適所を適切な形状に折曲もしくは湾曲して一体的に形成したものとすることができる外、金属製や合成樹脂製などの別部品をサポート枠部適所に装着してなるものとすることなどが可能である。
【００１７】
装着用アーム部は、ホルダー枠部を当該天板外方の手押し用ハンドル近傍に安定的且つ着脱自在に装着、支持可能とするものであり、該ホルダー枠部の両がわに延びる所定長金属棒の各自由端がわを、当該ワゴン天板の幅寸法内に収まる相互間隔で、且つ同一平面内に収まるよう規制した配置とした左右一対からなり、充分な強度をもってホルダー枠部を支持可能なものとし、それら左右一対の各先端がわ部分は、装着安定構造に形成したものとしなければならず、該装着安定構造が、夫々当該所定長金属棒外周壁に被着された弾性摩擦皮膜からなるものとすることができ、後述する実施例に示すように、各弾性摩擦皮膜は例えば、軟質合成樹脂製や天然ゴム製のものなどとすることができる外、それら全外周壁か、または、それら外周壁の一部かの何れか一方に、軟質合成樹脂製または天然ゴム製などの弾性皮膜を形成されてなるものとすることが可能である。
【００１８】
また、装着用アーム部の各々先端がわ部分と当該ホルダー枠部との間であって手押し用ハンドルに載置状とする部分は、夫々装着安定構造になるよう形成したものとしなければならず、該装着安定構造は、天板下面や手押し用ハンドルなどとの接触部分を保護可能とすると共に、接合部分の摩擦抵抗を高める機能を果たすものであり、後述する実施例に示すように、各装着安定構造が、夫々当該所定長金属棒外周壁に被着された弾性摩擦皮膜からなるものとすることができる外、各々先端がわ部分と当該ホルダー枠部との間であって手押し用ハンドルに載置状とする部分に形成した装着安定構造が、当該所定長金属棒の該当箇所を手押し用ハンドル上方外周壁に沿って折曲形成された嵌着構造からなるものなどが想定される外、安定化に繋がる構造であれば特に限定されるものではなく、簡単なクリップなど簡単に嵌め外しの利く別体の金具に依るもの、その他とすることもできる。
【００１９】
弾性摩擦皮膜は、天板下面や手押し用ハンドルの上がわ外周壁などとの接合部分の摩擦係数を高め、ズレ動きや脱落などを防止可能とするものであり、多目的容器の保持荷重に耐えるよう充分な強度を有するものとしなければならず、後述している実施例に示すように、例えば軟質合成樹脂製や天然ゴム製などとするのが望ましい。
【００２０】
嵌着構造は、各々先端がわ部分と当該ホルダー枠部との間であって、手押し用ハンドルに載置状とする部分を手押し用ハンドルに嵌着状に搭載可能とするものであり、後述する実施例にも示すように、当該所定長金属棒の該当箇所を手押し用ハンドル上方外周壁に沿って折曲形成されたものとすべきであるが、反転Ｕ字型または横転Ｃ字型などの手押し用ハンドルに嵌着状に搭載可能な形状に成型された合成樹脂製部品を一体的に設けてなるものとすることができる。
以下では、図面に示すこの発明を代表する実施例と共に、その構造について詳述することとする。                                                                                                            
【実施例１】
【００２１】
図１の多目的容器装着具の平面図、図２の多目的容器装着具の側面図、図３の医療ワゴンに装着する多目的容器装着具の斜視図、図４の医療ワゴンに装着した多目的容器装着具の斜視図、図５の多目的容器装着具に装着する医療用多目的容器の斜視図、図６の多目的容器装着具に装着した医療用多目的容器の斜視図、図７の医療用多目的容器を装着した多目的容器装着具の平面図、および、図８の医療用多目的容器を装着した多目的容器装着具の側面図に示す事例は、所定長金属棒１０の中間部分１１をホルダー枠部２に形成し、該ホルダー枠部２の各自由端がわ１２，１２を、左右一対の装着用アーム部３，３にした上、それら装着用アーム部３，３の先端がわ部分３０，３０、および各々先端がわ部分３０，３０と当該ホルダー枠部２との間であって手押し用ハンドル５２に載置状とする部分３１，３１を、夫々装着安定構造４，４，……に形成してなるものとした、この発明の医療ワゴン用の多目的容器装着具における代表的な一実施例を示すものである。
【００２２】
それら各図からも明確に把握できるとおり、この発明の医療ワゴン用の多目的容器装着具１は、所定強度を有するステンレス鋼製の所定長金属棒１０の中間部分１１を、開閉自在な上蓋６２を有する平面断面長円形の上部開口６１から、底部６３に向けて縮小する勾配の外周壁６０に形成された合成樹脂製多目的容器６の平断面外周壁６０に沿うよう屈曲し、上下方向に開口した平面形長円形のホルダー枠部２に形成すると共に、該ホルダー枠部２の両がわに延びる各自由端がわ１２，１２を、装着対象となる医療用ワゴン５天板５０の下面５１と、該下面５１より僅かに下方位で、同天板５０外周よりも外方となる所定位置に横設状配置とした手押し用ハンドル５２との上下間に差し込み可能、且つ該天板５０の幅寸法内に収まる相互間隔で、同一平面内に収まるよう規制した配置としてなる左右一対の装着用アーム部３，３に形成した上、それら装着用アーム部３，３の先端がわ部分３０，３０、および各々先端がわ部分３０，３０と当該ホルダー枠部２との間であって当該手押し用ハンドル５２に載置状とする部分３１，３１に、夫々装着安定構造４である軟質合成樹脂製の弾性摩擦皮膜４０，４０，……を一体的に被着し、また、各装着用アーム部３，３の先端がわ部分３０，３０と当該ホルダー枠部２との間であって、各装着安定構造４である弾性摩擦皮膜４０，４０，……間に相当する中途範囲外周壁には、各弾性摩擦皮膜４０，４０，……よりも外径の細い軟質合成樹脂パイプ製の弾性皮膜３２を被着してなるものである。                                                                                                        
【実施例２】
【００２３】
図９の多目的容器装着具の平面図、図１０の多目的容器装着具の側面図、図１１の医療ワゴンに装着する多目的容器装着具の斜視図、図１２の多目的容器装着具に装着する医療用多目的容器の斜視図、図１３の医療用多目的容器を装着した多目的容器装着具の斜視図、図１４の医療用多目的容器を装着した多目的容器装着具の平面図、および、図１５の医療用多目的容器を装着した多目的容器装着具の側面図に示す事例は、前記実施例１の医療ワゴン用の多目的容器装着具１のホルダー枠部２、および、左右一対の装着用アーム部３，３の各先端がわ部分３０，３０と該ホルダー枠部２との間であって、手押し用ハンドル５２に載置状とする部分３１，３１に形成した装着安定構造４，４を嵌着構造４１，４１に形成してなる、この発明の医療ワゴン用の多目的容器装着具における代表的な他の実施例を示すものである。
【００２４】
図９ないし図１５の各図からも明確に把握できるとおり、この発明の医療ワゴン用の多目的容器装着具１のホルダー枠部２は、所定長金属棒１０の中間部分１１を、奥行き方向に長い矩形筐体状であって、同奥行き方向に開閉自在な抽斗６４を有する医療用多目的容器６の抱持箇所外周壁６０に沿うよう矩形状に屈曲加工して、左右一対の装着用アーム部３，３より下方に向けて折曲し、水平方向に開口したものとするよう形成してあり、また、左右一対の装着用アーム部３，３と該ホルダー枠部２との間であって、手押し用ハンドル５２に載置状とする部分３１，３１の所定長金属棒１０の該当箇所であって装着安定構造４，４となる部分は夫々、該手押し用ハンドル５２上方外周壁に沿って折曲形成された嵌着構造４１，４１からなるものとしている。
【００２５】
そして、図１６の多目的容器装着具の平面図、図１７の多目的容器装着具の側面図、図１８の医療ワゴンに装着する多目的容器装着具の斜視図、図１９の多目的容器装着具に装着する医療用多目的容器の斜視図、図２０の医療用多目的容器を装着した多目的容器装着具の斜視図、図２１の医療用多目的容器を装着した多目的容器装着具の平面図、および、図２２の医療用多目的容器を装着した多目的容器装着具の側面図に示す事例ように、前記図９ないし図１５中に示した医療ワゴン用の多目的容器装着具１のホルダー枠部２に、当該所定長金属棒１０中間部分１１の中央を、医療用多目的容器６の底部６３（外周壁６０）に倣ったＵ字形状に屈曲してサポート枠部２０に形成してなるものとすることが可能である。
【００２６】
（実施例１の作用）
以上のとおりの構成からなるこの発明の医療ワゴン用の多目的容器装着具１は、図３ないし図８中に順次示すとおり、左右一対の装着用アーム部３，３を各先端がわから医療用ワゴン５天板５０下面５１と手押し用ハンドル５２との上下間に差し込み、同一対の装着用アーム部３，３の各先端がわ部分３０，３０の各装着安定構造４，４弾性摩擦皮膜４０，４０が該天板５０下面５１に高摩擦状態に接合すると共に、各々先端がわ部分３０，３０と該ホルダー枠部２との間であって当該手押し用ハンドル５２に載置状とする部分３１，３１の各装着安定構造４，４弾性摩擦皮膜４０，４０が、同手押し用ハンドル５２の上がわ外周壁に高摩擦状態に接合状となるよう搭載されたものとした上、該ホルダー枠部２を手押し用ハンドル５２よりも外がわに張り出し、上下方向に開口するよう、水平姿勢状に支持するようにして装着可能とする。
【００２７】
こうして医療用ワゴン５に装着した当該多目的容器装着具１のホルダー枠部２には、図５ないし図８中に示すように、上方から上蓋６２開閉型の多目的容器６を着脱自在に落とし込み状装着可能であり、該多目的容器６のホルダー枠部２抱持部分直上付近の外周壁６０に一体成型して有る左右一対の下向き係合用舌片部６５，６５が、夫々ホルダー枠部２に繋着状とすることが可能で、しかも該多目的容器６の上蓋６２を２分割開閉可能となるようにし、それらに対応するよう同容器６内に仕切り壁（図示せず）を形成して衛生ゴミ、不衛生ゴミを分別して収容可能なものとなる。
【００２８】
（実施例２の作用）
この発明の医療ワゴン用の多目的容器装着具１は、図１１ないし図１５中に順次示すように、左右一対の装着用アーム部３，３を各先端がわから医療用ワゴン５天板５０下面５１と手押し用ハンドル５２との上下間に差し込み、同一対の装着用アーム部３，３の各先端がわ部分３０，３０の各弾性摩擦皮膜４０，４０が該天板５０下面５１に高摩擦状態に接合すると共に、各々先端がわ部分３０，３０と該ホルダー枠部２との間であって、当該手押し用ハンドル５２に載置状とする部分３１，３１の各装着安定構造４，４嵌着構造４１，４１が同手押し用ハンドル５２の上がわ外周壁に嵌着状となって搭載されたものとした上、該ホルダー枠部２を手押し用ハンドル５２の外がわ直下に垂れ下げて水平方向に開口するよう、鉛直姿勢状に吊り下げ装着可能である。
【００２９】
こうして医療用ワゴン５に装着した当該多目的容器装着具１のホルダー枠部２には、図１２ないし図１５中に示すように、外がわから抽斗６４開閉型の多目的容器６を着脱自在に装着可能であり、該抽斗６４内に複数ほ仕切り壁を設ければ、複数種類の医療器具類や薬品類などを分類収納可能となる。
【００３０】
また、図１６ないし図２２中に示すように、この発明の医療ワゴン用の多目的容器装着具１は、そのホルダー枠部２にサポート枠部２０を一体化形成してあり、矩形箱状の多目的容器６の底部６３（外周壁６０）を、該サポート枠部２０が安定的に支持するものとなる。
【００３１】
（実施例１の効果）
以上のような構成からなる実施例１の医療ワゴン用の多目的容器装着具１は、既述したこの発明の効果の項で記載の特徴に加え、図６および図８に示すように、ホルダー枠部２に医療用多目的容器６左右の下向き係合用舌片部６５，６５を係合するよう装着可能としてあり、不用意な脱落を一層確実に防止することができ、また、該多目的容器６を使い捨て可能なものとすれば、感染性医療廃棄物を別の容器に移し替える必要がなくなり、より安全に廃棄処理できるものとなる。
【００３２】
（実施例２の効果）
実施例２の医療ワゴン用の多目的容器装着具１は、前記この発明の効果の項に記載した特徴に加え、図１６ないし図２２に示すように、ホルダー枠部２の所定長金属棒１０中間部分１１を屈曲してサポート枠部２０を一体化形成してあり、該サポート枠部２０専用の別部品を製造する必要がなく、廉価で簡素なものとすることができる上、高い耐久強度を確保できるという秀れた効果を発揮するものとなる。
【００３３】
叙述の如く、この発明の医療ワゴン用の多目的容器装着具は、その新規な構成によって所期の目的を遍く達成可能とするものであり、従前からの感染性医療破棄物用の処理容器類などの医療用ワゴンに関連する技術に比較して製造も容易で、何よりも構造が簡素で各段に容易に製造することができる上、衛生的に保つことが容易で、安全で経済的なものとすることができ、しかも取付ネジなどを一切設けず、医療用ワゴンへの脱着も簡便であり院内感染の確実な防止の為に、使い捨てにも簡単且つ経済的に対応可能であり、これまで衛生管理に多大な労力と経費とを費やしてきた病院や各種研究所などにおいても高く評価されることとなり、広範に利用、普及が図られていくことになるものと予想される。                                          
【図面の簡単な説明】
【００３４】
図面は、この発明の医療ワゴン用の多目的容器装着具の技術的思想を具現化した代表的な幾つかの実施例を示すものである。
【図１】多目的容器装着具を示す平面図である。
【図２】多目的容器装着具を示す側面図である。
【図３】医療ワゴンに装着する多目的容器装着具を示す斜視図である。
【図４】医療ワゴンに装着した多目的容器装着具を示す斜視図である。
【図５】医療用多目的容器を装着する多目的容器装着具を示す斜視図である。
【図６】医療用多目的容器を装着した多目的容器装着具を示す斜視図である。
【図７】医療用多目的容器を装着した多目的容器装着具を示す平面図である。
【図８】医療用多目的容器を装着した多目的容器装着具を示す側面図である。
【図９】多目的容器装着具を示す平面図である。
【図１０】多目的容器装着具を示す側面図である。
【図１１】医療ワゴンに装着する多目的容器装着具を示す斜視図である。
【図１２】多目的容器装着具に装着する医療用多目的容器を示す斜視図である。
【図１３】医療用多目的容器を装着した多目的容器装着具を示す斜視図である。
【図１４】医療用多目的容器を装着した多目的容器装着具を示す平面図である。
【図１５】医療用多目的容器を装着した多目的容器装着具を示す側面図である。
【図１６】サポート枠部を有する多目的容器装着具を示す平面図である。
【図１７】サポート枠部を有する多目的容器装着具を示す側面図である。
【図１８】医療ワゴンに装着する多目的容器装着具を示す斜視図である。
【図１９】多目的容器装着具に装着する医療用多目的容器を示す斜視図である。
【図２０】医療用多目的容器を装着した多目的容器装着具を示す斜視図である。
【図２１】医療用多目的容器を装着した多目的容器装着具を示す平面図である。
【図２２】医療用多目的容器を装着した多目的容器装着具を示す側面図である。
【符号の説明】
【００３５】
１      医療ワゴン用の多目的容器装着具
１０    同  所定長金属棒
１１    同  中間部分
１２    同  自由端がわ
２      ホルダー枠部
２０    同  サポート枠部
３      装着用アーム部
３０    同  先端がわ部分
３１    同  手押し用ハンドルに載置状とする部分
３２    同  弾性皮膜
４      装着安定構造
４０    同  弾性摩擦皮膜
４１    同  嵌着構造
５      医療用ワゴン
５０    同  天板
５１    同  下面
５２    同  手押し用ハンドル
６      医療用多目的容器
６０    同  外周壁
６１    同  上部開口
６２    同  上蓋
６３    同  底部
６４    同  抽斗
６５    同  下向き係合用舌片部                                                                                  
【図１】
2010246780.tif 000003
【図２】
2010246780.tif 000004
【図３】
2010246780.tif 000005
【図４】
2010246780.tif 000006
【図５】
2010246780.tif 000007
【図６】
2010246780.tif 000008
【図７】
2010246780.tif 000009
【図８】
2010246780.tif 000010
【図９】
2010246780.tif 000011
【図１０】
2010246780.tif 000012
【図１１】
2010246780.tif 000013
【図１２】
2010246780.tif 000014
【図１３】
2010246780.tif 000015
【図１４】
2010246780.tif 000016
【図１５】
2010246780.tif 000017
【図１６】
2010246780.tif 000018
【図１７】
2010246780.tif 000019
【図１８】
2010246780.tif 000020
【図１９】
2010246780.tif 000021
【図２０】
2010246780.tif 000022
【図２１】
2010246780.tif 000023
【図２２】
2010246780.tif 000024